(57)【要約】【課題】情報端末装置から警報音などの音声を昼夜一定の音量で鳴ることを時間帯や、情報の重要度に応じて認識し、切り替えること。【解決手段】情報端末装置１は、外部通信端末装置９などから情報を受信する通信手段２と、通信手段２が受信した情報を蓄積する情報蓄積手段３と、人の操作を受け付ける操作手段４と、操作手段４が受け付けた操作内容により情報蓄積手段３から情報を読み出す制御手段５と、情報蓄積手段３から読み出した情報を表示する表示手段７と、制御手段５が前記制御手段５内にある計時手段６を見て、情報の重要を判断する判断手段１０によって、出力する音声を制御する音声出力手段８とから構成され、深夜などの消音に設定された時間帯でも、不審者が侵入した際には判断手段が報知しなければならない情報と判断した場合には時間帯に関係なく漏れなく報知するということが可能となる。【選択図】図１
2005286750.tif 000002
【特許請求の範囲】
【請求項１】
外部からの情報を受信する通信手段と、前記通信手段が受信した情報を蓄積する情報蓄積手段と、人の操作を受け付ける操作手段と、前記操作手段が受け付けた操作内容により情報蓄積手段から情報を読み出す制御手段と、前記情報が重要であるかどうかの判断を行う判断手段と、前記制御手段が読み出した情報を表示する表示手段と、前記制御手段からの指示で操作内容などを音声で知らせる音声出力手段から構成され、前記制御手段は内蔵の計時手段の時刻と、前記判断手段によって判断された前記情報の重要度により、前記音声出力手段の音声出力を制御することを特徴とする情報端末装置。
【請求項２】
制御手段は計時手段の時刻により音声出力手段の出力する音声の音量を制御し、音声を確認するまで一定時間間隔で警報を促すことを特徴とする請求項１に記載の情報端末装置。
【請求項３】
請求項１に記載の情報端末装置の機能の少なくとも一部をコンピューターに実行させるためのプログラム。
【発明の詳細な説明】
【技術分野】
【０００１】
本発明は、外部から情報を受信する情報端末装置、及びプログラムに関するものである。
【背景技術】
【０００２】
従来の端末装置は、照明装置などにおいて、時刻検出手段が現在時刻を検出し、設定手段が、第１の時間帯および第２の時間帯を設定する。照明制御手段が、現在時刻が第１の時間帯に含まれる場合は、現在時刻が第２の時間帯に含まれる場合に比較して、照明を点灯し続ける時間を短くするように制御するもの（特許文献１）などが考案されている。
【特許文献１】特開２００４−２３２８７号公報
【発明の開示】
【発明が解決しようとする課題】
【０００３】
しかしながら、従来の端末装置には次のような問題があった。地震が起きたときなどはそのまま設定された時間帯に照明を点灯するだけなので、深夜に起こった場合などには臨機応変に照明を点灯させるというものではなかった。
【０００４】
本発明は、このような従来の問題を解決するためになされたもので、時刻によって発する音量を制御することにより、新着情報の到着等を効率よく住人にお知らせし、また、情報の重要度に応じて、深夜の時間帯でも報知するかしないかの判断手段を用いることで、例えば、深夜などの消音に設定された時間帯でも、不審者が侵入した際には判断手段が報知しなければならない情報と判断し、時間帯に関係なく漏れなく報知する。また、住人が応答するまで一定時間間隔で警報を促すことで漏らさずお知らせする情報端末装置を提供することを目的とする。
【課題を解決するための手段】
【０００５】
従来の課題を解決するために、本発明の端末装置は、前記情報が重要であるかどうかの判断を行う判断手段を用いることにより、制御手段は内蔵の計時手段の時刻と、前記判断手段によって判断された前記情報の重要度により、前記音声出力手段の音声出力を制御し、前記内蔵の計時手段の時刻によって音声出力手段から発する音量を消音、または、小さくし、通常の音量で提供したくない深夜などの時間帯に迷惑がかかることなく住人にお知らせすることを可能とする情報の重要度を判断する判断手段を備えることを特徴とする情報端末装置である。
【発明の効果】
【０００６】
本発明の端末装置は、外部からの情報を受信する通信手段と、前記通信手段が受信した情報を蓄積する情報蓄積手段と、人の操作を受け付ける操作手段と、前記操作手段が受け付けた操作内容により情報蓄積手段から情報を読み出す制御手段と、前記情報が重要であるかどうかの判断を行う判断手段と、前記制御手段が読み出した情報を表示する表示手段と、前記制御手段からの指示で操作内容などを音声で知らせる音声出力手段から構成され、前記制御手段は内蔵の計時手段の時刻と、前記判断手段によって判断された前記情報の重要度により、前記音声出力手段の音声出力を制御することで、新着情報の到着等を効率よく住人にお知らせする。
【０００７】
また、情報の重要度に応じて、例えば深夜の時間帯でもその情報を報知するかしないかの判断手段を用いることで、例えば、深夜などの消音に設定された時間帯でも、不審者が侵入した際には判断手段が報知しなければならない情報と判断し、時間帯に関係なく漏れなく報知するという効果が得られる。
【発明を実施するための最良の形態】
【０００８】
第１の発明は、外部からの情報を受信する通信手段と、前記通信手段が受信した情報を蓄積する情報蓄積手段と、人の操作を受け付ける操作手段と、前記操作手段が受け付けた操作内容により情報蓄積手段から情報を読み出す制御手段と、前記情報が重要であるかどうかの判断を行う判断手段と、前記制御手段が読み出した情報を表示する表示手段と、前記制御手段からの指示で操作内容などを音声で知らせる音声出力手段から構成され、前記制御手段は内蔵の計時手段の時刻と、前記判断手段によって判断された前記情報の重要度により、前記音声出力手段の音声出力を制御することを特徴とする情報端末装置を構成したものである。
【０００９】
これによって、例えば、制御手段内の計時手段の時刻によって前記音声出力手段から発する音量を消音にすることにより、通常の音量で提供したくない深夜などの時間帯に消音で画面表示（表示手段）で報知したり、情報の重要度に応じて、深夜の時間帯でもその情報を報知するかしないかの判断手段を用いることで、深夜などの消音に設定された時間帯でも、不審者が侵入した際には、判断手段が報知しなければならない情報と判断し、時間帯に関係なく漏れなく表示手段や音声手段を用いて報知することを特徴とする端末装置を構築することができる。
【００１０】
第２の発明は、第１の発明の制御手段において、計時手段の時刻により音声出力手段の出力する音声の音量を制御し、音声を確認するまで一定時間間隔で警報を促すことを特徴としたものである。
【００１１】
これによって、本発明は制御手段に内蔵の計時手段の時刻によって前記音声出力手段から発する音量を消音、または、小さくすることにより、通常の音量で提供したくない時間帯に効率よく住人にお知らせすることができ、住人が応答するまで一定時間間隔で警報を促すことで漏らさずお知らせすることを特徴とする。
【００１２】
第３の発明は、第１および第２の発明のいずれか１項記載の機能の少なくとも一部をコンピューターで実行させるプログラムであるのでＣＰＵ（マイコン）、ＲＡＭ、ＲＯＭ、記憶装置、Ｉ／Ｏなどを備えた電気情報機器、コンピューター、サーバー等のハードリソースを協働させて、本発明の情報端末装置の一部あるいは全てを容易に実現することができる。また記録媒体に記録したり通信回線を用いてプログラムを配信したりすることでプログラムの配布やインストール作業が簡単にできる。
【００１３】
以下、本発明の実施の形態について、図面を参照しながら説明する。尚、本実施の形態によって本発明が限定されるものではない。
【００１４】
（実施の形態１）
図において、図１は構成ブロック図、図２はシーケンス図、図３はフローチャート図である。
【００１５】
図１において、１は情報端末装置である。情報端末装置１は、宅内に設置され、外部通信端末装置９から得られる情報ａ（お知らせや電池切れなど）を画面表示とともに音声で報知する。情報端末装置１において、２は通信手段であり、外部通信端末装置と通信し、情報ａを得る。３は情報蓄積手段であり、通信手段２が得た情報を情報ファイルｂとして受け取り蓄積する。４は操作手段であり、住人からの操作を受け付け、操作内容ｄを制御手段５に伝える。制御手段５は操作内容ｄに従い、情報蓄積手段３から選択された情報ｃを読み出す。６は制御手段に内蔵の計時手段であり、現時刻を管理している制御手段５は前記計時手段６が管理している時刻を見て、時間帯により、音声出力手段から発せられる音声出力を制御する。また判断手段１０により前記選択された情報ｃが重要な情報であるかどうかを判断し、計時手段６の時刻を見て、もし重要であれば情報端末装置１の音声出力手段８は時刻に関係なく報知する。もし判断手段１０が重要な情報ではないと判断すれば、前記計時手段６が管理している時刻によって音声出力を制御される。
【００１６】
ここでいう、判断手段１０における重要な情報であるかそうでないかの判断は、あらかじめ情報の登録者が、重要な情報に「１」というフラグを立てたり、重要でない情報に「０」というフラグを立てたりすることによって情報端末装置１の判断手段１０が判断を行う。あるいはフラグでなくてもよい。
【００１７】
もし表示したり、音声にて報知したりするのであれば、表示手段７に画面制御指示ｅを送るとともに、音声出力手段８にも警報制御指示ｆを送る。表示手段７は画面制御指示ｅに基づき当該情報を表示し、音声出力手段８は警報制御指示ｆに基づき、当該情報を音声によってお知らせする。
【００１８】
次に、前記の情報端末装置１の動作手順について説明する。
【００１９】
図２は、第１の実施例の情報端末装置の音量の変化を時間軸で示した図である。
【００２０】
図２において、音声出力手段８は、時刻ｔ１内（例えば０７：００〜２３：００）において、警報音を鳴らす事態が生じた場合、通常通り、表示手段７によって画面表示は行い、住人が宅内において普通に聞こえるくらいの音量でお知らせする。制御手段５で設定された時刻ｔ２内（例えば２３：００〜０７：００）において、警報音を鳴らす事態が生じた場合、通常通り、表示手段７によって画面表示は行うが、住人に迷惑がかからないようにするため、音声出力手段８によって、音声を消音にする。表示手段７による画面表示でも気づかない場合は、時刻ｔ３内（例えば０７：００〜２３：００）の一定時間おきに再び警報を促し、例えば「ＯＫ」ボタンを押したことによって、住人がその情報を確認したと判断し、その時点で催促は終了するというものである。しかし、もしガス漏れや不審者が宅内に侵入したなどの情報を情報端末装置１が報知する場合に、前記消音時間帯にならなかったのでは意味がなくなる。そこで、ガス漏れや、不審者の侵入などあらかじめ重要な情報だと考えられるケースにおいては、判断手段１０においてその情報が重要であるか否かの判断を行う必要がある。
【００２１】
図３は、前記の情報端末装置１の動作手順を示している。図４はフローチャート図である。
【００２２】
以下、外部通信端末装置９からガス漏れの情報が情報端末装置に送信された場合を例に説明する。
【００２３】
図３において、外部通信端末装置９がガス漏れという事象（図４のＳ０１）が発生した場合、情報端末装置１の通信手段２と通信を行い、ガス漏れであるという情報ａが通信手段２へ送られる（図４のＳ０２）。前記その情報aを情報蓄積手段３で蓄積（図４のＳ０３）し、その後、制御手段５は前記情報蓄積手段３からの選択された情報ｃを読み出し、画面制御指示ｅを表示手段７に送信した後、ガス漏れの旨を画面表示によって行う（図４のＳ０４）。また制御手段５内の計時手段６を見て、図２のｔ１及びｔ３の時間内では警報制御指示ｆによって、音声出力手段８にて通常の警報音の音量でお知らせする。一方、判断手段１０において、その情報が重要かどうかを判断（図４のＳ０５）し、新着情報などでそれほど重要な情報ではない場合には、住人が操作手段４によって情報端末装置１を操作しても、制御手段５内の計時手段６を見て、図２のｔ２の時間内の場合には、警報制御指示ｆによって、音声出力手段８にて操作音の音量を消音（図４のＳ０６）にすることによって、深夜などに大きな音量での操作音が鳴るのを防ぐことが出来る。
【００２４】
しかし、今回のガス漏れや、侵入者の侵入、地震、火災などの重要な場合に限っては画面表示を行っても消音では困るため、重要な情報であれば、時間帯に関係なく、音声出力手段８によって報知（図４のＳ０７）することが可能となる。これによって、深夜などの消音時間帯においても重要な情報であれば報知することによって、ガス漏れを防いだり、侵入者の侵入、地震の発生、自宅や自宅周辺の火災を情報端末装置１が認識し、警報音などを鳴らすことによって、威嚇などを行うことが可能となる。
【産業上の利用可能性】
【００２５】
以上のように、本発明にかかる外部から情報を受信する情報端末装置は、情報の重要度に応じて、深夜の時間帯でもその情報を報知するかしないかの判断手段を用いることで、例えば、深夜などの消音に設定された時間帯でも、不審者が侵入した際には判断手段が報知しなければならない情報と判断し、時間帯に関係なく漏れなく報知するということが可能となるので、ガス漏れ異常を扱う情報端末装置や、セキュリティに関連した情報端末装置の用途などに適用できる。
【図面の簡単な説明】
【００２６】
【図１】実施の形態１における情報端末装置のブロック図
【図２】実施の形態１における情報端末装置の音量の変化を時間軸で示した図
【図３】実施の形態１における情報端末装置のシーケンス図
【図４】実施の形態１における情報端末装置のフローチャート
【符号の説明】
【００２７】
１  情報端末装置
２  通信手段
３  情報蓄積手段
４  操作手段
５  制御手段
６  計時手段
７  表示手段
８  音声出力手段
９  外部通信端末装置
１０  外部通信端末装置
【図１】
2005286750.tif 000003
【図２】
2005286750.tif 000004
【図３】
2005286750.tif 000005
【図４】
2005286750.tif 000006